(57)【要約】【課題】固体電解質層を介した正極層と負極層との短絡を抑制すること。【解決手段】固体電解質層１４と、前記固体電解質層１４の一面上に設けられた正極層１２と、前記一面と同一面上または反対の面上に設けられた負極層１６と、を具備し、前記正極層１２と前記負極層１６とは、前記固体電解質層１４の幅方向から視て重ならないように配置されている二次電池。【選択図】図１
2013127861.tif 000002
【特許請求の範囲】
【請求項１】
固体電解質層と、
前記固体電解質層の一面上に設けられた正極層と、
前記一面と同一面上または反対の面上に設けられた負極層と、
を具備し、
前記正極層と前記負極層とは、前記固体電解質層の幅方向から視て重ならないように配置されていることを特徴とする二次電池。
【請求項２】
前記負極層は前記一面と同一面上に設けられていることを特徴とする請求項１記載の二次電池。
【請求項３】
前記負極層は前記一面とは反対の面上に設けられていることを特徴とする請求項１記載の二次電池。
【請求項４】
前記正極層と前記負極層との間に設けられた絶縁体を具備する請求項２記載の二次電池。
【請求項５】
前記固体電解質層と、前記正極層および前記負極層と、が交互に積層されていることを特徴とする請求項１から４のいずれか一項記載の二次電池。
【請求項６】
前記正極層および前記負極層は、前記固体電解質層の面方向にそれぞれ交互に設けられていることを特徴とする請求項１から５のいずれか一項記載の二次電池。
【発明の詳細な説明】
【技術分野】
【０００１】
本発明は二次電池に関し、例えば正極層と負極層が重ならないように配置されている二次電池に関する。
【背景技術】
【０００２】
二次電池は、電気エネルギーを蓄電し、供給可能である。このため、二次電池は電子機器、ハイブリット車や電気自動車などに応用されている。二次電池を小型化するために、固体電解質層の薄膜化が検討されている。固体電解質層を薄くしすぎると、二次電池の製造工程中または充放電を繰り返すうちに負極と正極とが短絡してしまう。
【０００３】
絶縁基板上に正極層と負極層とが設けられ、正極層と負極層との間に固体電解質層が設けられた二次電池が知られている（例えば、特許文献１から３）。
【先行技術文献】
【特許文献】
【０００４】
【特許文献１】特開２００８−１７６９６２号公報
【特許文献２】特開２００８−１７１７３４号公報
【特許文献３】特開２００８−５３１３５号公報
【発明の概要】
【発明が解決しようとする課題】
【０００５】
しかしながら、特許文献１から３であっても、正極層と負極層の間隔が狭くなると固体電解質層を介し正極層と負極層とが短絡してしまう可能性がある。本二次電池は、固体電解質層を介した正極層と負極層との短絡を抑制することを目的とする。
【課題を解決するための手段】
【０００６】
例えば、固体電解質層と、前記固体電解質層の一面上に設けられた正極層と、前記一面と同一面上または反対の面上に設けられた負極層と、を具備し、前記正極層と前記負極層とは、前記固体電解質層の幅方向から視て重ならないように配置されていることを特徴とする二次電池を用いる。
【発明の効果】
【０００７】
本二次電池によれば、固体電解質層を介した正極層と負極層との短絡を抑制することができる。
【図面の簡単な説明】
【０００８】
【図１】図１（ａ）から図１（ｄ）は、実施例１に係る二次電池の模式図である。
【図２】図２（ａ）から図２（ｄ）は、実施例２に係る二次電池の模式図である。
【図３】図３（ａ）から図３（ｃ）は、実施例３に係る二次電池の断面図（その1）である。
【図４】図４（ａ）から図４（ｃ）は、実施例３に係る二次電池の断面図（その２）である。
【図５】図５（ａ）から図５（ｃ）は、実施例３に係る二次電池の断面図（その３）である。
【図６】図６（ａ）から図６（ｃ）は、実施例３に係る二次電池の断面図（その４）である。
【図７】図７（ａ）から図７（ｃ）は、実施例３に係る二次電池の正極層および負極層の配置を示す平面図（その１）である。
【図８】図８（ａ）および図８（ｂ）は、実施例３に係る二次電池の正極層および負極層の配置を示す平面図（その２）である。
【図９】図９（ａ）および図９（ｂ）は、作製した実施例３の各寸法を示すそれぞれ断面図および平面図である。
【図１０】図１０（ａ）および図１０（ｂ）は、作製した比較例の各寸法を示すそれぞれ断面図および平面図である。
【発明を実施するための形態】
【０００９】
以下、図面を参照し、実施例について説明する。
【実施例１】
【００１０】
図１（ａ）から図１（ｄ）は、実施例１に係る二次電池の模式図である。図１（ａ）および図１（ｂ）は、実施例１の一例のそれぞれ断面図および上面図である。図１（ａ）および図１（ｂ）のように、固体電解質層１４の一面に正極層１２が設けられている。正極層１２が形成された固体電解質層１４の一面と同一面上に負極層１６が設けられている。
【００１１】
図１（ｃ）および図１（ｄ）は、実施例１の別の例の断面図および上面図である。図１（ｃ）および図１（ｄ）のように、固体電解質層１４の一面に正極層１２が設けられている。正極層１２が形成された固体電解質層１４の面とは反対の面上に負極層１６が設けられている。
【００１２】
図１（ｂ）および図１（ｄ）に示すように、正極層１２と負極層１６とは、固体電解質層１４の幅方向（例えば、固体電解質層１４の膜厚方向、固体電解質層１４の上面の法線方向）から視て重ならないように配置されている。これにより、固体電解質層１４を薄膜化しても、正極層１２と負極層１６との電気的短絡を抑制できる。例えば、製造工程における正極層１２と負極層１６との短絡を抑制できる。また、二次電池を使用することによる固体電解質層１４内のリチウムの析出により、正極層１２と負極層１６とが短絡することを抑制できる。よって、固体電解質層１４を薄膜化でき、二次電池を小型化することができる。
【実施例２】
【００１３】
図２（ａ）から図２（ｄ）は、実施例２に係る二次電池の模式図である。図２（ａ）に示すように、実施例１の図１（ａ）の正極層１２と負極層１６との間の固体電解質層１４上に絶縁層１８が設けられている。正極層１２には正極端子２０が配線２１を介し電気的に接続されている。負極層１６には負極端子２２が配線２３を介し電気的に接続されている。正極層１２と負極層１６との間に絶縁層１８が設けられることにより、正極層１２と負極層１６との電気的短絡を抑制できる。
【００１４】
図２（ｂ）に示すように、実施例１の図１（ｃ）の固体電解質層１４の両面に絶縁層１８が設けられている。固体電解質層１４の一面上に正極層１２が複数形成されている場合、正極層１２間に絶縁層１８が設けられる。固体電解質層１４の他の面上に負極層１６が複数形成されている場合、負極層１６間に絶縁層１８が設けられる。これにより、正極層１２間または負極層１６間の短絡を抑制できる。
【００１５】
図２（ｃ）に示すように、実施例１の図１（ａ）がケース３０内に格納されている。ケース３０内は絶縁性の気体３２が充満している。正極層１２および負極層１６は、それぞれ配線２１および２３を介し正極端子２０および負極端子２２に電気的に接続されている。
【００１６】
図２（ｄ）に示すように、実施例１の図１（ｃ）がケース３０内に格納されている。ケース３０内は絶縁性の気体３２が充満している。図２（ｃ）および図２（ｄ）のように、正極層１２と負極層１６との間、正極層１２間、または負極層１６間は、絶縁性の気体を用いて電気的に絶縁することもできる。
【００１７】
実施例１および２、以降の実施例において、正極層１２、固体電解質層１４、負極層１６および絶縁層１８は、湿式法または乾式法を用い形成することができる。湿式法としては、ゾルゲル法、コロイド法またはキャスティング法等を用いることができる。乾式法としては、ＰＶＤ（物理的気相堆積）法またはＣＶＤ（化学的気相堆積）法を用いることができる。ＰＶＤ法としては、真空蒸着法、イオンプレーティング法、スパッタリング法またはレーザアブレーション法を用いることができる。ＣＶＤ法としては、熱ＣＶＤ法またはプラズマＣＶＤ法を用いることができる。
【００１８】
リチウム二次電池の場合、固体電解質層１４においては、Ｌｉイオンが伝導体である。固体電解質層１４のＬｉイオン伝導度は、２０℃において、１０−６Ｓ／ｃｍ以上が好ましい。さらに、１０−７Ｓ／ｃｍ以上であることがより好ましい。Ｌｉイオン伝導度の高い固体電解質層１４の材質として、硫化物系または酸化物系の材料を用いることが好ましい。固体電解質層１４としては、例えば、リン酸リチウム、リチウムリン酸窒化物、ニオブ酸リチウム、酸窒化リチウムニオブ、タンタル酸リチウム、酸窒化リチウムタンタル、酸窒化リチウムタンタルニオブ、ケイ酸リチウム、リチウムアルミニウムケイ酸、酸窒化リチウムシリコン、酸窒化リチウムシリコンリン、弗化リチウムアルミニウム、酸窒化リチウムボロン、酸窒化リチウムボロンリン、酸化リチウムボロンバナジウム、酸化リチウムボロンセレン、酸硫化リチウムシリコンリン、リン酸リチウムシリコン、チタン酸ランタンリチウム、ランタンタンタル酸リチウム、ニオブ酸ランタンリチウム、リン酸リチウムチタンアルミニウム、リン酸リチウムアルミニウムゲルマニウム、リン酸リチウムアルミニウムイットリウム、珪硫化リチウム、硼硫化リチウム、硫化リチウムアルミ、燐硫化リチウムおよび隣硫化ゲルマニウムリチウムの少なくとも一つを含む材料を用いることができる。
【００１９】
正極層１２は、Ｌｉイオンの吸蔵および放出を行なう活物質を含む。正極層１２としては、例えば、コバルト酸リチウム、マンガン酸リチウム、ニッケル酸リチウム、酸化リチウムニッケルマンガン、酸化リチウムニッケルコバルトマンガン、酸化リチウムニッケルコバルト、酸化リチウムバナジウム、リン酸鉄リチウム、ピロリン酸鉄リチウム、リン酸バナジウムリチウム、酸化リチウムコバルトバナジウム、酸化リチウムチタン、および酸窒化リチウムシリコンスズ、硫化コバルトリチウム、硫化マンガンリチウム、硫化ニッケルリチウム、硫化ニッケルマンガンリチウム、硫化ニッケルコバルトマンガンリチウム、硫化ニッケルコバルトリチウムおよび硫化バナジウムリチウムの少なくとも一つを含む材料を用いることができる。
【００２０】
負極層１６は、Ｌｉイオンの吸蔵および放出を行なう活物質を含む。負極層１６としては、例えば、リチウム、炭素、グラファイト、スズ、シリコン、シリコンスズ、アルミニウム、シリコンスズアルミニウム、アンチモンスズ、シリコン炭素、シリコンコバルト炭素、窒化シリコンチタン、硼化シリコンチタン、マグネシウムシリコン、コバルト酸リチウム、マンガン酸リチウム、ニッケル酸リチウム、酸化リチウムニッケルマンガン、酸化リチウムニッケルコバルトマンガン、酸化リチウムニッケルコバルト、酸化バナジウムリチウム、リン酸鉄リチウム、リン酸リチウムバナジウム、酸化リチウムコバルトバナジウム、酸化リチウムチタン、酸窒化リチウムシリコンスズ、酸化バナジウム、およびチタン硫酸塩の少なくとも一つを含む材料を用いることができる。なお、リチウムと合金を形成することのできる金属としては、アルミニウム、シリコン、錫、ビスマスおよびインジウムの少なくとも一つが好ましい。このような元素を含有した負極層は、負極層自体に集電体としての機能を持たせることができる。さらに、リチウムイオンの吸蔵および放出能力が高くなる。例えば、シリコンはリチウムを吸蔵・離脱する能力がグラファイト(黒鉛)よりも大きく、エネルギー密度を高くすることができる。
【００２１】
絶縁層１８としては、例えばエポキシ樹脂、フェノール樹脂、ポリエチレンテレフタラート、ポリプロピレン、ポリアクリルアミド、ポリエチレン、ポリイミド、テフロン（登録商標）およびセルロース等の有機材料、並びに酸化ケイ素、酸化アルミニウム等の無機材料の少なくとも一つを含む材料を用いることができる。絶縁性の気体３２としては、アルゴン、酸素、窒素、ヘリウム、ネオン、クリプトン、キセノン、ラドンおよび二酸化炭素のうち少なくとも一つを含む気体を用いることができる。
【００２２】
配線２１および２３としては、金、銅またはアルミニウム等を含む金属を用いることができる。
【実施例３】
【００２３】
図３（ａ）から図６（ｃ）は、実施例３に係る二次電池の断面図である。図３（ａ）に示すように、基板１０上に、固体電解質層１４が設けられている。固体電解質層１４上に、正極層１２および負極層１６が設けられている。正極層１２および負極層１６との間に絶縁層１８が設けられている。正極層１２および負極層１６はそれぞれ正極端子２０および負極端子２２と配線２１および２３を介し接続されている。このように、実施例２の図２（ａ）の各層を基板１０上に形成することができる。
【００２４】
図３（ｂ）に示すように、基板１０上に負極層１６および絶縁層１８が設けられている。負極層１６および絶縁層１８上に固体電解質膜１４が設けられている。固体電解質膜１４上に正極層１２および絶縁層１８が設けられている。このように、実施例２の図２（ｂ）の各層を基板１０上に形成することもできる。
【００２５】
図３（ｃ）に示すように、基板１０上に正極層１２および絶縁層１８が設けられている。正極層１２および絶縁層１８上に固体電解質膜１４が設けられている。固体電解質膜１４上に負極層１６および絶縁層１８が設けられている。このように、基板１０上に正極層１２を形成し、固体電解質層１４上に負極層１６を形成することもできる。
【００２６】
図３（ｂ）および図３（ｃ）のように、基板１０上に正極層１２および負極層１６のいずれか一方を設け、正極層１２および負極層１６の一方の間（図５（ｂ）および図５（ｃ）参照）に絶縁層１８（第１絶縁層）設ける。さらに、固体電解質層１４上に、正極層１２および負極層１６の他方を設け、正極層１２および負極層１６の他方の間（図５（ｂ）および図５（ｃ）参照）に絶縁層１８（第２絶縁層）設けることができる。
【００２７】
図４（ａ）に示すように、基板１０上に正極層１２（第１正極層）、負極層１６（第１負極層）および絶縁層１８（第１絶縁層）が設けられている。正極層１２、負極層１６および絶縁層１８上に固体電解質層１４が設けられている。固体電解質層１４上に正極層１２（第２正極層）、負極層１６（第２負極層）および絶縁層１８（第２絶縁層）が設けられている。複数の正極層１２は配線２１により共通に正極端子２０に電気的に接続されている。複数の負極層１６は配線２３により共通に負極端子２２に電気的に接続されている。図４（ａ）のように、固体電解質層１４の両側の面に各々正極層１２と負極層１６とを形成することもできる。これにより、図３（ａ）から図３（ｃ）に比べ充放電特性を向上できる。
【００２８】
図４（ｂ）に示すように、基板１０上に固体電解質層１４（第１固体電解質層
）が設けられている。固体電解質層１４上に正極層１２、負極層１６および絶縁層１８が設けられている。正極層１２、負極層１６および絶縁層１８上に、固体電解質層１４（第２固体電解質層）が設けられている。図４（ｂ）のように、２層の固体電解質層１４の間に正極層１２、負極層１６および絶縁層１８を形成することもできる。これにより、図３（ａ）から図３（ｃ）に比べ充放電特性を向上できる。
【００２９】
図４（ｃ）に示すように、固体電解質層１４と、正極層１２と負極層１６と絶縁層１８と、を固体電解質層１４の幅方向に複数積層することもできる。固体電解質層１４と、正極層１２および負極層１６と、を交互に積層することもできる。複数の正極層１２は配線２１により共通に正極端子２０に電気的に接続されている。複数の負極層１６は配線２３により共通に負極端子２２に電気的に接続されている。このように、固体電解質層１４と、正極層１２および負極層１６と、を交互に積層することもできる。図４（ａ）に比べさらに充放電特性を向上できる。図４（ｃ）は、固体電解質層１４と、正極層１２と負極層１６と絶縁層１８と、をそれぞれ３層積層した例であるが、４層以上積層してもよい。
【００３０】
図５（ａ）から図６（ｃ）に示すように、図３（ａ）から図４（ｃ）に示した正極層１２および負極層１６を基板１０の面方向に複数配置することもできる。例えば、正極層１２および負極層１６を、固体電解質層１４の面方向にそれぞれ交互に設けることができる。これにより、正極端子２０と負極端子２２との間に複数の正極層１２と負極層１６との対が直列に電気的に接続される。図５（ａ）から図６（ｃ）は、正極層１２と負極層１６との対が２つ直列に接続されている例であるが、３以上直列に接続されていてもよい。
【００３１】
図４（ａ）、図４（ｃ）、図６（ａ）および図６（ｃ）に示すように、基板１０の法線方向に積層された正極層１２と、同様に積層された負極層１６とは、固体電解質層１４の幅方向から視て重ならないように配置されている。例えば、上の正極層１２と下の正極層１２は、基板１０の面方向において同じ位置に配置され、上の負極層１６と下の負極層１６は、基板１０の面方向において同じ位置に配置されている。これにより、固体電解質層１４が薄い場合においても正極層１２と負極層１６との電気的短絡を抑制できる。
【００３２】
図３（ａ）から図６（ｃ）の正極層１２、固体電解質層１４、負極層１６および絶縁層１８としては、実施例１および２において例示した材料を用いることができる。また、各層の形成は、例示した方法を用いることができる。各層の形成は、各層の成膜予定領域に開口を備えるマスクを基板上に配置した状態で各層を形成する材料を成膜する。その後、マスクを除去することにより行なうことができる。また、実施例２の図２（ｃ）および図２（ｄ）のように、絶縁層１８は設けなくともよい。
【００３３】
図７（ａ）から図８（ｂ）は、実施例３に係る二次電池の正極層および負極層の配置を示す平面図である。図７（ａ）に示すように、島状の正極層１２と負極層１６を千鳥格子状に互い違いに配置することができる。図７（ｂ）に示すように、幹となる正極層１２ａと負極層１６ａを配置し、正極層１２ａおよび負極層１６ａに接続された枝の正極層１２ｂおよび負極層１６ｂが互い違いになるように、正極層１２および負極層１６を配置することができる。図７（ｃ）に示すように、正極層１２と負極層１６をリング状に交互に配置することができる。図８（ａ）のように、正極層１２と負極層１６をスパイラル状に交互に配置することができる。図８（ｂ）のように、正極層１２ａと負極層１６ａを櫛状に交互に配置することができる。
【００３４】
実施例３のように、固体電解質層１４、正極層１２、負極層１６および絶縁層１８を基板１０上に形成することができる。基板１０としては、シリコン基板、ガラス基板等を用いることができる。基板は、少なくとも最上面は絶縁性であることが好ましい。また、基板の表面は、平坦であることが好ましい。
【００３５】
さらに、絶縁層１８を、正極層１２と負極層１６との間、正極層１２間、または、負極層１６間に設けることにより、各電極層間の短絡を抑制することができる。さらに、各電極層上を平坦化することができる。これにより、図４（ｃ）および図６（ｃ）のように、固体電解質層１４と、正極層１２、負極層１６および絶縁層１８と、基板１０上に積層することができる。よって、二次電池を小型化できる。
【００３６】
実施例３に係る二次電池を作製した。基板１０としてシリコン基板を用いた。コバルト酸リチウムを正極活物質として用い正極層１２を形成した。正極層１２の形成は、高純度化学研究所社製のコバルト酸リチウムをターゲットとし、パスカル社製パルスレーザデポジション装置（ＳＴ−ＰＬＤ）を用いた。固体電解質層１４としてリン酸リチウムを用いた。固体電解質層１４の形成は、高純度化学研究所社製のリン酸リチウムをターゲットとし、パスカル社製パルスレーザデポジション装置（ＳＴ−ＰＬＤ）を用いた。リチウムを負極活物質として用い負極層１６を形成した。負極層１６の形成は、高純度化学研究所社製のリチウムをターゲットとし、アルバック社製真空蒸着装置（ＶＰＣ−０６０）を用いた。正極層１２または負極層１６が形成されていない領域には、アルバック社製化学蒸着装置（Ｃ−２００）を用い絶縁層１８を形成した。絶縁層１８として酸化シリコンを用いた。正極層１２、負極層１６および絶縁層１８を形成する際は、金属製のマスクを用い、所望の領域に各層を形成した。各層の膜厚は、キーエンス社製段差計（ＶＮ−８００）により測定した。
【００３７】
図９（ａ）および図９（ｂ）は、作製した実施例３の各寸法を示すそれぞれ断面図および平面図である。図９（ａ）に示すように、正極層１２、負極層１６および絶縁層１８の膜厚をｔ１、固体電解質層１４の膜厚をｔ２とする。正極層１２の幅をＷｐ、負極層１６の幅をＷｎとする。正極層１２と負極層１６との間隔をＧとする。正極層１２および負極層１６の長さをＬとする。
【００３８】
図１０（ａ）および図１０（ｂ）は、作製した比較例の各寸法を示すそれぞれ断面図および平面図である。正極層１２および負極層１６の膜厚をｔ１、固体電解質層１４の膜厚をｔ２とする。正極層１２の幅をＷｐ、負極層１６の幅をＷｎとする。Ｗｐ＝Ｗｎである。正極層１２および負極層１６の長さをＬとする。
【００３９】
長さＬ＝２００μｍ、幅Ｗｐ＝Ｗｎ＝２００μｍ、膜厚ｔ１＝ｔ２＝０．１μｍとし、間隔Ｇを、０．０１μｍ、０．５μm、２５μｍおよび１２５０μｍとし、図３（ａ）の構造の二次電池を作製した。同様に比較例に係る二次電池を試作した。表１は、各二次電池の正極と負極間の短絡有無と正極活物質単位重量当りの放電容量とを示す表である。
【表１】
2013127861.tif 000003
【００４０】
表１のように、実施例３においては、間隔Ｇを０．０１μｍから１２５０μｍとしても作製後の短絡は観測されなかった。一方、比較例においては、作製時に既に短絡していた。放電容量は、間隔Ｇが０．０１μｍから２５μｍの範囲において１００ｍＡｈ／ｇと良好である。間隔Ｇが１２５０μｍにおいても放電容量は８０ｍＡｈ／ｇと良好である。以上のように、実施例３においては、固体電解質層１４を０．１μｍと薄くしても正極と負極との短絡はなく、小型化が可能である。このように、実施例３によれば、固体電解質層１４の膜厚を１μｍ以下とすることができる。
【００４１】
図３（ａ）から図６（ｃ）の断面構造であり、図７（ａ）から図８（ｃ）の平面構造である二次電池を作製した。表２は、作製した二次電池を示す表である。表２の列は断面構造の図を、行は平面構造の図を示している。
【表２】
2013127861.tif 000004
【００４２】
表２に「作製」と示した構造について二次電池を作製した。作製した二次電池の各寸法は、長さＬ＝２００μｍ、幅Ｗｐ＝Ｗｎ＝２００μｍ、膜厚ｔ１＝ｔ２＝０．１μｍおよび間隔Ｇ＝０．０１μｍである。作製方法および各層の材料は、表１において作製した二次電池と同じである。作製した二次電池は全て短絡しておらず、かつ放電容量が８０ｍＡｈ／ｇ以上であった。このように、図３（ａ）から図６（ｃ）の断面構造であり、図７（ａ）から図８（ｃ）の平面構造である二次電池においても、正極と負極との短絡はなく、小型化が可能である。
【００４３】
実施例１および実施例３においては、リチウム二次電池の例を説明したが、他の二次電池でもよい。また、実施例において例示した材料、寸法以外のものを用いることができることは言うまでもない。
【００４４】
以上、本発明の実施例について詳述したが、本発明は係る特定の実施例に限定されるものではなく、特許請求の範囲に記載された本発明の要旨の範囲内において、種々の変形・変更が可能である。
【００４５】
実施例１から３を含む実施形態に関し、さらに以下の付記を開示する。
付記１：
固体電解質層と、前記固体電解質層の一面上に設けられた正極層と、前記一面と同一面上または反対の面上に設けられた負極層と、を具備し、前記正極層と前記負極層とは、前記固体電解質層の幅方向から視て重ならないように配置されていることを特徴とする二次電池。
付記２：
前記負極層は前記一面と同一面上に設けられていることを特徴とする付記１記載の二次電池。
付記３：
前記負極層は前記一面とは反対の面上に設けられていることを特徴とする付記１記載の二次電池。
付記４：
前記正極層と前記負極層との間に設けられた絶縁体を具備する付記２記載の二次電池。
付記５：
前記固体電解質層と、前記正極層および前記負極層と、が交互に積層されていることを特徴とする付記１から４のいずれか一項記載の二次電池。
付記６：
前記正極層および前記負極層は、前記固体電解質層の面方向にそれぞれ交互に設けられていることを特徴とする付記１から５のいずれか一項記載の二次電池。
付記７：
基板と、前記基板上に設けられた第１正極層および第１負極層と、前記基板上に設けられ、前記第１正極層および前記第１負極層との間に設けられた第１絶縁層と、前記第１正極層、前記第１負極層および前記第１絶縁層上に設けられた固体電解質層と、前記固体電解質層上に設けられた第２正極層および第２負極層と、前記固体電解質層上に設けられ、前記第２正極層および前記第２負極層との間に設けられた第２絶縁層と、を具備し、前記第１正極層および前記第２正極層と、前記第１負極層および前記第２負極層とは、前記固体電解質層の幅方向から視て重ならないように配置されていることを特徴とする二次電池。
付記８：
基板と、前記基板上に設けられた第１固体電解質層と、前記第１固体電解質層上に設けられた正極層および負極層と、前記第１固体電解質層上に設けられ、前記正極層および前記負極層との間に設けられた絶縁層と、前記正極層、前記負極層および前記絶縁層上に設けられた第２固体電解質層と、を具備し、前記正極層と前記負極層とは、前記第１および第２固体電解質層の幅方向から視て重ならないように配置されていることを特徴とする二次電池。
付記９：
基板と、前記基板上に設けられた正極層および負極層のいずれか一方と、前記基板上に設けられ、前記正極層および負極層の前記一方の間に設けられた第１絶縁層と、前記正極層および負極層の前記一方と、前記第１絶縁層層と、の上に設けられた固体電解質層と、前記固体電解質層上に設けられた前記正極層および負極層の他方と、前記固体電解質層上に設けられ、前記正極層および負極層の前記他方の間に設けられた第２絶縁層と、を具備し、前記正極層と、前記負極層とは、前記固体電解質層の幅方向から視て重ならないように配置されていることを特徴とする二次電池。
付記１０：
前記二次電池はリチウム二次電池であることを特徴とする付記１から９のいずれか一項記載の二次電池。
【符号の説明】
【００４６】
１０        基板
１２        正極層
１４        固体電解質層
１６        負極層
１８        絶縁層
２０        正極端子
２２        負極端子
２１、２３  配線
【図１】
2013127861.tif 000005
【図２】
2013127861.tif 000006
【図３】
2013127861.tif 000007
【図４】
2013127861.tif 000008
【図５】
2013127861.tif 000009
【図６】
2013127861.tif 000010
【図７】
2013127861.tif 000011
【図８】
2013127861.tif 000012
【図９】
2013127861.tif 000013
【図１０】
2013127861.tif 000014